(57)【要約】【課題】アドホックネットワークにおいて、接続の際に利用する近距離通信の通信範囲外にある機器を利用する。【解決手段】無線ＬＡＮ通信エリア内で通信可能な第１の通信方式を用いて他の通信装置と通信を行う無線ＬＡＮＡＰ部１０１６を備え、送信した所定の情報を他の通信装置が受信したと判断した場合、無線ＬＡＮＡＰ部１０１６は、無線ＬＡＮ通信エリアとは異なる、他の通信装置が所定の情報を受信可能なＢＬＥ通信エリア内で他の通信装置と通信を行う通信範囲制限装置１００１であって、他の通信装置からのＢＬＥ通信エリア外に存在する他の装置への通信を仲介する。【選択図】図１５
2016167793.tif 000002
【特許請求の範囲】
【請求項１】
第１の範囲内で通信可能な第１の通信方式を用いて他の通信装置と通信を行う第１の通信部を備え、
送信した所定の情報を前記他の通信装置が受信したと判断した場合、前記第１の通信部は、前記第１の範囲とは異なる、前記他の通信装置が前記所定の情報を受信可能な第２の範囲内で前記他の通信装置と通信を行う通信装置であって、
前記他の通信装置からの前記第２の範囲外に存在する他の装置への通信を仲介する、通信装置。
【請求項２】
前記第２の範囲内で通信可能な第２の通信方式を用いて通信を行う第２の通信部と、
前記他の装置と通信を行う第３の通信部と、をさらに備え、
前記第２の通信部は、前記第１の通信部による通信を確立するための設定情報を、前記他の通信装置に対して送信し、
前記第１の通信部は、前記設定情報を受信した前記他の通信装置との間で前記第１の通信方式を用いて通信を行い、
前記第３の通信部は、前記他の通信装置から前記第１の通信部により前記他の装置への接続要求を受信した場合、前記他の装置に、前記接続要求とともに前記接続要求に関連する情報を送信する、請求項１に記載の通信装置。
【請求項３】
前記第３の通信部によって通信可能な前記他の装置の種別と、前記他の装置の識別情報とを対応付けた周辺機器情報を記憶する記憶部と、
前記第３の通信部によって前記他の装置と接続された場合、接続された前記他の装置の種別と前記識別情報とを前記周辺機器情報に記憶する情報管理部と、をさらに備える請求項１又は２に記載の通信装置。
【請求項４】
前記第３の通信部によって通信可能な前記他の装置の種別と、前記他の装置の識別情報とを対応付けた周辺機器情報を記憶する記憶部と、
前記他の装置の種別と前記識別情報とを記憶する記憶媒体が、前記第２の範囲内に入ったことを検知する検知部と、
前記記憶媒体が前記第２の範囲内に入ったことが検知された場合、前記記憶媒体から前記他の装置の種別と前記識別情報とを読み取る読取部と、
読み取られた前記他の装置の種別と前記識別情報とを前記周辺機器情報に記憶する情報管理部と、をさらに備える請求項１〜３のいずれか一つに記載の通信装置。
【請求項５】
前記他の装置は、前記第２の範囲を含む前記第１の範囲により構築された通信環境が複数ある場合、少なくとも一つの前記通信環境における前記第２の範囲外に存在し、
複数の前記通信環境において、少なくとも一つの前記通信装置は、前記他の通信装置と前記他の装置との通信を制御する請求項１〜４のいずれか一つに記載の通信装置。
【請求項６】
前記第２の通信方式は、Bluetooth（登録商標）技術を利用した通信である請求項１〜５のいずれか一つに記載の通信装置。
【請求項７】
第１の範囲内で他の通信装置と通信を行う第１の通信部を有する第１の通信装置と、
所定の情報を前記第１の範囲とは異なる第２の範囲内で受信する受信部と、前記第１の通信部と通信を行う第２の通信部と、を有し、前記受信部が前記所定の情報を受信した場合、前記第２の範囲内で前記第２の通信部は前記第１の通信部と通信を行う第２の通信装置と、を備え、
前記第２の通信装置は、前記第２の範囲外にある他の装置との通信を前記第１の通信装置を介して行う、システム。
【請求項８】
第１の範囲内で通信可能な第１の通信方式を用いて通信を行う第１の通信部と、
第２の範囲内で通信可能な第２の通信方式を用いて通信を行う第２の通信部と、
前記第２の範囲外に存在する他の装置と通信を行う第３の通信部と、
を備えるコンピュータを、
前記第２の通信部によって、前記第１の通信部による通信を確立するための設定情報を、前記第１の通信方式および前記第２の通信方式での通信が可能な他の通信装置に対して送信し、
前記第１の通信部によって、前記設定情報を受信した前記他の通信装置との間で前記第１の通信方式を用いて通信を行い、
前記第３の通信部によって、前記他の通信装置から前記第１の通信部により前記他の装置への接続要求を受信した場合、前記他の装置に、前記接続要求とともに前記接続要求に関連する情報を送信するように機能させる、プログラム。
【請求項９】
他の通信装置と通信を行う通信部と、
所定の情報を受信する受信部と、を備え、
前記受信部が前記所定の情報を受信した場合、前記通信部は前記他の通信装置と通信可能な第１の範囲とは異なる、前記受信部が前記所定の情報を受信可能な第２の範囲内で前記他の通信装置と通信を行う通信装置であって、
前記第２の範囲外に存在する他の装置との通信を前記他の通信装置を介して行う、通信装置。
【発明の詳細な説明】
【技術分野】
【０００１】
本発明は、通信装置、システム、およびプログラムに関する。
【背景技術】
【０００２】
近年、無線ＬＡＮ（Local  Area  Network）に代表される無線ネットワークを利用したアドホックネットワークが構築されている。当該ネットワークに接続された機器（周辺機器）を利用する際に、そのアドホックネットワークへの接続許可を得るための認証を行う手段として、アドホックネットワークよりも狭い通信範囲を持つ別の近距離通信（例えばＮＦＣ（Near  field  communication）など）を利用することが知られている。
【０００３】
例えば、アドホックネットワークに接続したい機器同士が、別の近距離通信を利用して共有鍵や公開鍵などの認証情報をやり取りし、それを基にアドホックネットワークに接続する通信端末機器が開示されている（特許文献１参照）。
【発明の概要】
【発明が解決しようとする課題】
【０００４】
しかしながら、従来のような近距離通信による認証を行ったアドホックネットワークでは、近距離にある機器しかそのアドホックネットワークに接続することができなかった。すなわち、近距離通信の通信範囲外に設置された機器をアドホックネットワークから利用することはできないという問題があった。例えば、会議室単位にアドホックネットワークを構築している場合に、会議室個別に配置せずに、複数の会議室で共用する機器（例えばプリンタ装置）へ接続することはできなかった。
【０００５】
本発明は、上記に鑑みてなされたものであって、接続に要する情報を取得する際に利用する近距離通信の通信範囲外にある機器を利用できる通信装置、システム、およびプログラムを得ることを目的とする。
【課題を解決するための手段】
【０００６】
上述した課題を解決し、目的を達成するために、本発明は、第１の範囲内で通信可能な第１の通信方式を用いて他の通信装置と通信を行う第１の通信部を備え、送信した所定の情報を前記他の通信装置が受信したと判断した場合、前記第１の通信部は、前記第１の範囲とは異なる、前記他の通信装置が前記所定の情報を受信可能な第２の範囲内で前記他の通信装置と通信を行う通信装置であって、前記他の通信装置からの前記第２の範囲外に存在する他の装置への通信を仲介する。
【発明の効果】
【０００７】
本発明によれば、接続に要する情報を取得する際に利用する近距離通信の通信範囲外にある機器を利用できるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、基本構成となる無線ＬＡＮシステムにおいて、ＢＬＥ通信エリアの少なくとも一部が無線ＬＡＮ通信エリア外に位置する場合の一例を示すシステム構成図である。
【図１４】図１４は、実施の形態１にかかる通信システムの全体構成図である。
【図１５】図１５は、実施の形態１にかかる通信範囲制限装置の機能構成を示す図である。
【図１６】図１６は、無線ＬＡＮ接続装置リストおよび周辺機器リストの保存形式の一例を示す図である。
【図１７】図１７は、実施の形態１にかかるスマートフォンの機能構成を示す図である。
【図１８】図１８は、実施の形態１にかかる通信範囲制限装置におけるスマートフォンの登録処理の流れを示すフローチャートである。
【図１９】図１９は、実施の形態１にかかる通信範囲制限装置における周辺機器の登録処理の流れを示すフローチャートである。
【図２０】図２０は、実施の形態１にかかるスマートフォンにおいて通信範囲制限装置を介して行う印刷処理の流れを示すフローチャートである。
【図２１】図２１は、実施の形態１にかかる通信範囲制限装置におけるスマートフォンの切断処理の流れを示すフローチャートである。
【図２２】図２２は、実施の形態２にかかる通信システムの全体構成図である。
【図２３】図２３は、実施の形態３にかかる通信システムの全体構成図である。
【図２４】図２４は、ＢＬＥ通信タグの外観の一例を示す図である。
【図２５】図２５は、ＢＬＥ通信タグの構成を示す図である。
【図２６】図２６は、実施の形態３にかかる通信範囲制限装置の機能構成を示す図である。
【図２７】図２７は、実施の形態３にかかる通信範囲制限装置におけるプリンタ装置の登録処理の流れを示すフローチャートである。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（ＮＦＣ：Near  Field  Communications）、ミリ波無線通信、ＱＲコード（登録商標）、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
以上、無線ＬＡＮ通信エリア内にＢＬＥ通信エリアが無線ＬＡＮ通信エリアに包含されている例を示したが、例えば、図１３に示すように、ＢＬＥ通信エリアの少なくとも一部の領域が無線ＬＡＮ通信エリア外に位置する状態であってもよい。図１３において、無線ＬＡＮ通信回線を確立できるエリアは、ＢＬＥ通信エリア６’となる。無線ＬＡＮ通信エリア外のＢＬＥ通信エリア７では、ＢＬＥ通信により通信範囲情報を受信可能であるが、そもそも無線ＬＡＮ通信を行うためのセットアップができないためである。図１３に示すような状態は、例えば、無線ＬＡＮＡＰ部１６とＢＬＥ通信部１７が異なる位置に配置されている場合や、通信の指向性により通信可能範囲が一方向に突出しているような場合に考えられる。
【００６３】
（実施の形態１）
図１４は、実施の形態１にかかる通信システムの全体構成図である。図１４に示すように、通信システムは、通信範囲制限装置１００１と、スマートフォン１００２と、を主に備えており、通信範囲制限装置１００１は、所定条件の下、スマートフォン１００２、プリンタ装置９２、プロジェクタ装置１００４、およびプロジェクタ装置１００４’と通信を行う。
【００６４】
通信範囲制限装置１００１は、通信手段である無線ＬＡＮＡＰ部１０１６、ＢＬＥ通信部１０１７、および周辺機器通信部１０１８（図１５参照）によって他の通信装置との通信を行う。また、通信範囲制限装置１００１は、例えば無線ＬＡＮルータ等の無線ＬＡＮ通信によるアクセスポイント機能を備えた装置である。
【００６５】
無線ＬＡＮＡＰ部１０１６は、図１４に示す無線ＬＡＮ通信エリア１００５（第１の通信範囲）内において、無線ＬＡＮ通信によって無線通信を行う。本実施の形態では、スマートフォン１００２、プロジェクタ装置１００４、およびプロジェクタ装置１００４’は、無線ＬＡＮＡＰ部１０１の無線ＬＡＮ通信エリア１００５に入っているため、通信範囲制限装置１００１と無線ＬＡＮ通信によって通信可能となっている。無線ＬＡＮ通信エリア１００５に囲まれた範囲が無線ＬＡＮを利用したアドホックネットワークとなる。
【００６６】
ＢＬＥ通信部１０１７は、図１４に示すＢＬＥ通信エリア１００６（第２の通信範囲）内において、Bluetooth技術を利用した通信であるＢＬＥ通信によって無線通信を行う。図１４に示すように、ＢＬＥ通信エリア１００６は、無線ＬＡＮ通信エリア１００５内であって、無線ＬＡＮ通信エリア１００５よりも狭い範囲となっている。本実施の形態では、スマートフォン１００２およびプロジェクタ装置１００４は、ＢＬＥ通信エリア１００６に入っているが、プロジェクタ装置１００４’は、ＢＬＥ通信エリア１００６に入っていない。従って、スマートフォン１００２およびプロジェクタ装置１００４は、通信範囲制限装置１００１とＢＬＥ通信によって通信可能となっているが、プロジェクタ装置１００４’は、通信範囲制限装置１００１とＢＬＥ通信によっては通信不可能である。ＢＬＥ通信部１０１７は、ＢＬＥ通信エリア１００６を示す通信範囲情報を含むアドバタイズメントチャネルや無線ＬＡＮ通信を行うためのＰＩＮコードを送信（発信）する。
【００６７】
周辺機器通信部１０１８は、図１４に示すように、ＢＬＥ通信エリア１００６外に存在するプリンタ装置９２（他の装置）と、有線ネットワーク９１によって通信を行う。ここで、本実施の形態では、通信範囲制限装置１００１とプリンタ装置９２とが有線接続されている例を示したが、有線接続に限られず無線通信により接続する構成としてもよい。また、本実施の形態では、スマートフォン１００２が利用する機器（装置）であるプリンタ装置やプロジェクタ装置を周辺機器と称している。
【００６８】
なお、本実施の形態では、無線ＬＡＮ通信エリア１００５内では、無線ＬＡＮＡＰ部１０１６が無線ＬＡＮ通信により通信を行い、ＢＬＥ通信エリア１００６内では、ＢＬＥ通信部１０１７がＢＬＥ通信により通信を行い、ＢＬＥ通信エリア１００６外にある機器とは、周辺機器通信部１０１８が有線ネットワークにより通信を行っているが、これに限定されるものではない。すなわち、通信範囲制限装置１００１と周辺機器であるプリンタ装置９２とを接続する通信部の通信範囲が、無線ＬＡＮ通信エリア１００５より広い場合であれば適用可能となっている。具体的には、例えば、本実施形態の無線ＬＡＮ通信エリア１００５に相当する通信範囲ではBluetoothにより通信を行い、ＢＬＥ通信エリア１００６に相当する通信範囲ではＮＦＣにより通信を行い、周辺機器であるプリンタ装置９２と無線ＬＡＮ通信により通信を行う構成にしてもよい。
【００６９】
スマートフォン１００２は、例えば、ＵＩ（user  interface）を備えた装置である。スマートフォン１００２は、無線ＬＡＮ通信エリア１００５内で無線ＬＡＮ通信により通信を行う無線ＬＡＮ通信部１０３１と、ＢＬＥ通信エリア１００６内でＢＬＥ通信により通信を行うＢＬＥ通信部１０３２とを備えている。そして、スマートフォン１００２は、通信範囲制限装置１００１を介して、周辺機器であるプリンタ装置９２やプロジェクタ装置１００４と通信を行って印刷機能や表示機能を利用する。
【００７０】
プリンタ装置９２は、スマートフォン１００２等から印刷要求を受信すると、当該印刷要求に従って画像および文字等を用紙に印刷する装置であって、本実施の形態では有線ネットワーク９１により通信範囲制限装置１００１と接続されている。
【００７１】
プロジェクタ装置１００４、１００４’は、画像や映像を大型スクリーンなどに投影することにより表示する装置であって、それぞれ、無線ＬＡＮ通信エリア１００５内で無線ＬＡＮ通信により通信を行う無線ＬＡＮ通信部１０６７、１０６７’と、ＢＬＥ通信エリア１００６内でＢＬＥ通信により通信を行うＢＬＥ通信部１０６８、１０６８’とを備えている。
【００７２】
本実施の形態の通信システムでは、ＢＬＥ通信を利用して無線ＬＡＮ通信の接続設定を行う。そして、図１４に示すように、ＢＬＥ通信エリア１００６は無線ＬＡＮ通信エリア１００５よりも狭いため、通信範囲制限装置１００１は、スマートフォン１００２やプロジェクタ装置１００４とはＢＬＥ通信による通信が行えるが、ＢＬＥ通信エリア１００６外にあるプロジェクタ装置１００４’とはＢＬＥ通信による通信が行えない。
【００７３】
つまり、実際に通信範囲制限装置１００１と無線ＬＡＮ通信による通信が可能となるのは、ＢＬＥ通信が可能なスマートフォン１００２およびプロジェクタ装置１００４だけであり、ＢＬＥ通信が不可能なプロジェクタ装置１００４’は無線ＬＡＮ通信エリア１００５内であるにもかかわらず、通信範囲制限装置１００１と無線ＬＡＮ通信による通信はできない。
【００７４】
従って、本実施の形態では、スマートフォン１００２は、通信範囲制限装置１００１を介してプロジェクタ装置１００４は利用できるが、プロジェクタ装置１００４’は利用できない。スマートフォン１００２から無線ＬＡＮ通信を使ってプロジェクタ装置１００４’を利用したい場合は、プロジェクタ装置１００４’もＢＬＥ通信エリア１００６の内部に入らなければならない。
【００７５】
また、スマートフォン１００２が通信範囲制限装置１００１を介してプリンタ装置９２を利用する場合は、スマートフォン１００２と通信範囲制限装置１００１とが無線ＬＡＮ通信による通信可能となっていればよい。つまり、スマートフォン１００２から無線ＬＡＮ通信を利用して通信範囲制限装置１００１に印刷要求（接続要求）を行い、通信範囲制限装置１００１は、有線ネットワーク９１により接続されたプリンタ装置９２に当該印刷要求（接続要求）を送信することで、スマートフォン１００２からプリンタ装置９２の利用が可能となる。
【００７６】
図１５は、実施の形態１にかかる通信範囲制限装置の機能構成を示す図である。図１５に示すように、通信範囲制限装置１００１は、記憶部１２０、１３０と、無線ＬＡＮＡＰ部１０１６と、ＢＬＥ通信部１０１７と、周辺機器通信部１０１８と、検知部１０４と、通信制御部１０５と、接続処理部１０６と、リスト管理部１０７と、を主に備えている。
【００７７】
記憶部１２０は、無線ＬＡＮ通信により接続された装置（スマートフォン、プロジェクタ装置等）の種別と、当該装置の識別情報とを対応付けた無線ＬＡＮ接続装置リストを記憶するものであり、ＨＤＤやメモリ等の記憶媒体である。
【００７８】
記憶部１３０は、利用可能な周辺機器（プリンタ装置等）の種別と、周辺機器の識別情報とを対応付けた周辺機器リスト（周辺機器情報）を記憶するものであり、ＨＤＤやメモリ等の記憶媒体である。利用可能な周辺機器とは、周辺機器通信部１０１８によって通信可能な周辺機器、および無線ＬＡＮＡＰ部１０１６によって通信可能な周辺機器を示している。すなわち、周辺機器リストは、無線ＬＡＮ通信により接続されたスマートフォン１００２から通信範囲制限装置１００１を介して利用可能な周辺機器の種別と識別情報とを対応付けている。
【００７９】
ここで、無線ＬＡＮ接続装置リストおよび周辺機器リストの保存形式について説明する。図１６は、無線ＬＡＮ接続装置リストおよび周辺機器リストの保存形式の一例を示す図である。図１６に示すように、無線ＬＡＮ接続装置リストおよび周辺機器リストは、どのような装置の種類であるか（例えばプリンタ装置なのかプロジェクタ装置なのかスマートフォンなのか）を示す「種別」と、装置固有の「ＩＰアドレス」とが対応付けて保存されている。そして、これらのリストを基にして、スマートフォン１００２により通信を所望する装置（周辺機器）の選択などの操作が行われる。
【００８０】
無線ＬＡＮＡＰ部１０１６、ＢＬＥ通信部１０１７、および周辺機器通信部１０１８については、上述したためここでは省略する。
【００８１】
検知部１０４は、スマートフォン１００２などの他の通信装置がＢＬＥ通信エリア１００６内に入ったことを検知するものである。例えば、検知部１０４は、ＢＬＥ通信のＲＳＳＩ（Received  Signal  Strength  Indication）パラメータを用いて、他の通信装置がＢＬＥ通信エリア１００６内に入ったことを検知する。
【００８２】
通信制御部１０５は、無線ＬＡＮＡＰ部１０１６、ＢＬＥ通信部１０１７、および周辺機器通信部１０１８を介して他の通信装置との通信を制御する。具体的には、例えば、通信制御部１０５は、ＢＬＥ通信によって、無線ＬＡＮ通信による通信を確立するための設定情報（例えば、図９で示したＰＩＮコード等）をスマートフォン１００２に対して送信する。
【００８３】
また、通信制御部１０５は、無線ＬＡＮ通信によって接続されたスマートフォン１００２から周辺機器への接続要求を受信し、受信した接続要求に基づいて、スマートフォン１００２と周辺機器との通信を制御する。例えば、通信制御部１０５は、スマートフォン１００２からプリンタ装置９２への印刷要求（印刷データも含む）を受信した場合、受信した印刷要求を有線ネットワーク９１によって接続されたプリンタ装置９２に送信する制御を行う。そして印刷要求を受信したプリンタ装置９２により印刷が行われる。
【００８４】
また、通信制御部１０５は、リスト管理部１０７によって、新たに接続された機器が登録されたり、接続されていた機器が切断されることにより周辺機器リストが更新された場合、更新された周辺機器リストをスマートフォン１００２に送信する。
【００８５】
接続処理部１０６は、通信制御部１０５により無線ＬＡＮＡＰ部１０１６およびＢＬＥ通信部１０１７を介して、スマートフォン１００２と無線ＬＡＮ通信により接続するものである。具体的には、例えば、接続処理部１０６は、ＢＬＥ通信部１０１７によりスマートフォン１００２にＢＬＥ通信エリア１００６を示す通信範囲情報を含むアドバタイズメントパケットを送信する。そして、接続処理部１０６は、ＢＬＥ通信部１０１７によりＢＬＥ通信エリア１００６に位置するスマートフォン１００２から応答を受信し、ペアリング処理を行うことでスマートフォン１００２とＢＬＥ通信を行う。その後、接続処理部１０６は、無線ＬＡＮＡＰ部１０１６によりスマートフォン１００２に設定情報を送信し、各装置において所定のセットアップ処理を行うことでスマートフォン１００２と無線ＬＡＮ通信を行う。
【００８６】
また、接続処理部１０６は、周辺機器通信部１０１８を介して有線ネットワーク９１によりプリンタ装置９２と接続させる。ここで、通信範囲制限装置１００１は、ルータ機能を持っており、有線ネットワーク９１に接続されている。この有線ネットワーク９１は、無線ＬＡＮ通信エリア１００５により構築されるアドホックネットワークからパケットが到達可能になっている。
【００８７】
リスト管理部１０７は、無線ＬＡＮ接続装置リストおよび周辺機器リストの管理を行うものである。具体的には、リスト管理部１０７は、無線ＬＡＮＡＰ部１０１６によって無線ＬＡＮ通信により装置（スマートフォン、プロジェクタ装置、プリンタ装置等）と接続された場合、接続された装置の種別とＩＰアドレスとを無線ＬＡＮ接続装置リストに記憶（登録）する。また、リスト管理部１０７は、周辺機器通信部１０１８によってプリンタ装置等の周辺機器と接続された場合、接続された周辺機器の種別とＩＰアドレスとを周辺機器リストに記憶（登録）する。
【００８８】
また、リスト管理部１０７は、無線ＬＡＮ接続装置リストに記憶されている装置が切断された場合は、切断された装置の情報を無線ＬＡＮ接続装置リストから削除する。また、リスト管理部１０７は、周辺機器リストに記憶されている機器が利用できなくなった場合は、利用できなくなった機器の情報を周辺機器リストから削除する。
【００８９】
図１７は、実施の形態１にかかるスマートフォンの機能構成を示す図である。図１７に示すように、スマートフォン１００２は、記憶部２２０と、無線ＬＡＮ通信部１０３１と、ＢＬＥ通信部１０３２と、表示制御部２０３と、入力受付部２０４と、通信制御部２０５と、制御部２０６と、を主に備えている。
【００９０】
記憶部２２０は、スマートフォン１００２から利用可能な周辺機器（プリンタ装置等）の種別と、周辺機器の識別情報とを対応付けた周辺機器リストを記憶するものであり、ＨＤＤやメモリ等の記憶媒体である。スマートフォン１００２から利用可能な周辺機器とは、無線ＬＡＮ通信により接続された通信範囲制限装置１００１を介して利用できる周辺機器を示している。この周辺機器リストは、通信範囲制限装置１００１から受信して更新されるものである。
【００９１】
無線ＬＡＮ通信部１０３１は、図１４に示す無線ＬＡＮ通信エリア１００５内にスマートフォン１００２が入っている場合、通信範囲制限装置１００１と無線ＬＡＮによって通信を行う。ＢＬＥ通信部１０３２は、ＢＬＥ通信エリア１００６を示す通信範囲情報を含むアドバタイズメントチャネルを受信し、受信した通信範囲情報を参照してＢＬＥ通信エリア１００６内にスマートフォン１００２が入っている場合、通信範囲制限装置１００１とＢＬＥ通信によって通信を行う。また、ＢＬＥ通信部１０３２は、通信範囲制御装置１００１から無線ＬＡＮ通信を行うためのＰＩＮコードを受信する。
【００９２】
表示制御部２０３は、ユーザに対してディスプレイに各種情報を表示する制御を行うものであって、例えば、印刷設定を行う印刷設定画面などを表示する制御を行う。入力受付部２０４は、ユーザからの各種入力を受け付けるものであって、例えば、印刷設定画面により印刷を行うプリンタ装置の指定入力を受け付けたり、印刷を所望する印刷データの指定入力を受け付ける。
【００９３】
通信制御部２０５は、無線ＬＡＮ通信部１０３１およびＢＬＥ通信部１０３２による他の通信装置との通信を制御する。具体的には、例えば、更新された周辺機器リストを通信範囲制限装置１００１から受信したり、ユーザから受け付けた印刷要求とその際に指定された印刷データとを通信範囲制限装置１００１に送信する。
【００９４】
制御部２０６は、スマートフォン１００２を制御するものである。例えば、制御部２０６は、通信範囲制限装置１００１から受信した通信範囲情報を参照することで、スマートフォン１００２自身がＢＬＥ通信エリア１００６内に位置しているか否かを判別したり、更新された周辺機器リストを受信した場合は、記憶部２２０の周辺機器リストを更新する。
【００９５】
次に、通信範囲制限装置１００１と無線ＬＡＮ通信によりスマートフォン１００２が接続された場合、スマートフォン１００２を無線ＬＡＮ接続装置リストに登録する処理について説明する。図１８は、実施の形態１にかかる通信範囲制限装置におけるスマートフォンの登録処理の流れを示すフローチャートである。
【００９６】
まず、検知部１０４は、スマートフォン１００２がＢＬＥ通信エリア１００６内に入ったことを検知する（ステップＳ１００）。
【００９７】
次に、接続処理部１０６は、無線ＬＡＮ接続装置リストを参照して、既に無線ＬＡＮ通信に接続されている既存のスマートフォンが存在するか否かを確認する。そして、既存のスマートフォンが存在した場合、接続処理部１０６は、無線ＬＡＮＡＰ部１０１６を介して、当該既存のスマートフォンに、新たなスマートフォン１００２の接続可否（接続可能か否か）を問い合わせる（ステップＳ１０２）。
【００９８】
そして、接続処理部１０６は、接続可否の問い合わせに対して、既存のスマートフォンによる接続許可があるか否かを判断する（ステップＳ１０４）。接続許可がなかった場合（ステップＳ１０４：Ｎｏ）、接続処理部１０６は、スマートフォン１００２に接続拒否を通知してＢＬＥ通信を切断する（ステップＳ１０６）。
【００９９】
一方、接続許可があった場合（ステップＳ１０４：Ｙｅｓ）、通信制御部１０５は、ＢＬＥ通信部１０１７によるＢＬＥ通信によって、通信範囲制限装置１００１とスマートフォン１００２との無線ＬＡＮ通信による接続処理を行う（ステップＳ１０８）。
【０１００】
そして、スマートフォン１００２が接続されると、接続されたスマートフォン１００２の種別とＩＰアドレスとを記憶部１２０に記憶された無線ＬＡＮ接続装置リストに登録する（ステップＳ１１０）。なお、新たなスマートフォン１００２の接続の際に既存のスマートフォンに接続可否の問い合わせを行い、接続許可を得る手順（ステップＳ１０２〜１０４）は、省略してもよい。
【０１０１】
次に、通信範囲制限装置１００１と有線ネットワーク９１によりプリンタ装置等の周辺機器が接続された場合、当該周辺機器を周辺機器リストに登録する処理について説明する。図１９は、実施の形態１にかかる通信範囲制限装置における周辺機器の登録処理の流れを示すフローチャートである。
【０１０２】
まず、通信範囲制限装置１００１は、周辺機器通信部１０１８により、ＢＬＥ通信の通信範囲外にある周辺機器に接続されると（ステップＳ１２０）、リスト管理部１０７は、接続された周辺機器の種別とＩＰアドレスとを記憶部１３０に記憶された周辺機器リストに登録する（ステップＳ１２２）。
【０１０３】
そして、通信制御部１０５は、更新された周辺機器リストを、スマートフォン１００２に送信する（ステップＳ１２４）。スマートフォン１００２は、更新された周辺機器リストを受信すると、制御部２０６は、受信した周辺機器リストにより記憶部２２０に記憶されている周辺機器リストを更新する。
【０１０４】
次に、スマートフォン１００２が通信範囲制限装置１００１を介してプリンタ装置９２に接続され、印刷データを印刷する処理について説明する。図２０は、実施の形態１にかかるスマートフォンにおいて通信範囲制限装置を介して行う印刷処理の流れを示すフローチャートである。
【０１０５】
まず、スマートフォン１００２の入力受付部２０４は、ユーザからの印刷要求を受け付けると（ステップＳ１３０）、表示制御部２０３は、記憶部２２０に記憶されている周辺機器リストを参照して、スマートフォン１００２が利用可能なプリンタ装置を表示する（ステップＳ１３２）。
【０１０６】
その後、入力受付部２０４は、ユーザからのプリンタ装置の指定入力を受け付け（ステップＳ１３４）、印刷を所望する印刷データの指定入力を受け付ける（ステップＳ１３６）。そして、通信制御部２０５は、無線ＬＡＮ通信部１０３１を介して、ユーザから受け付けた印刷要求とともに、プリンタ装置の指定、印刷データを無線ＬＡＮ通信により通信範囲制限装置１００１に送信する（ステップＳ１３８）。
【０１０７】
そして、通信範囲制限装置１００１は、無線ＬＡＮＡＰ部１０１６により、印刷要求とともに、プリンタ装置の指定、印刷データをスマートフォン１００２から受信する。通信範囲制限装置１００１の周辺機器通信部１０１８は、指定されたプリンタ装置９２に印刷要求とともに印刷データ（印刷要求に関連する所定情報）を有線ネットワーク９１により送信する。プリンタ装置９２は、受信した印刷要求に従って、受信した印刷データの印刷処理を行う。
【０１０８】
次に、通信範囲制限装置１００１に無線ＬＡＮ通信により接続されたスマートフォン１００２が切断される処理について説明する。図２１は、実施の形態１にかかる通信範囲制限装置におけるスマートフォンの切断処理の流れを示すフローチャートである。
【０１０９】
まず、通信制御部１０５は、無線ＬＡＮ通信によりスマートフォン１００２がＢＬＥ通信エリア１００６から離脱した旨を受信する（ステップＳ１５０）。次に、接続処理部１０６は、離脱したスマートフォン１００２との無線ＬＡＮ通信を切断し（ステップＳ１５２）、リスト管理部１０７は、記憶部１２０に記憶されている無線ＬＡＮ接続装置リストから、離脱したスマートフォン１００２を削除する（ステップＳ１５４）。
【０１１０】
このように、実施の形態１にかかる通信範囲制限装置１００１は、ＢＬＥ通信などの近距離通信によって、スマートフォン１００２に無線ＬＡＮ通信による接続に要するＰＩＮコード（設定情報）を送信し、当該設定情報を用いてスマートフォン１００２との間で無線ＬＡＮ通信による接続処理を行うことで、アドホックネットワークを構築する。また、通信範囲制限装置１００１は、有線ネットワーク９１等によりＢＬＥ通信エリア１００６外にあるプリンタ装置９２と接続されている。このため、スマートフォン１００２は、無線ＬＡＮ通信により接続された通信範囲制限装置１００１に印刷要求を送信すると、アクセスポイント機能を有する通信範囲制限装置１００１を介して、ＢＬＥ通信などの近距離通信の通信範囲外にあるプリンタ装置９２を利用して印刷を行うことができる。すなわち、無線ＬＡＮ通信を利用したアドホックネットワークにおいて、接続に要する設定情報を取得する際に利用するＢＬＥ通信のＢＬＥ通信エリア１００６外に設置されたプリンタ装置９２を利用できる。
【０１１１】
（実施の形態２）
実施の形態１にかかる通信範囲制限装置は、単一のアドホックネットワークにおいて、無線ＬＡＮ通信により接続されたスマートフォンと、ＢＬＥ通信エリア外の周辺機器であるプリンタ装置とを通信可能にするものであった。これに対して、本実施の形態では、実施の形態１のようなアドホックネットワークが複数存在する場合について説明する。以下では、アドホックネットワークが２つ存在する場合について説明するが、３つ以上存在する場合にも適用可能である。
【０１１２】
図２２は、実施の形態２にかかる通信システムの全体構成図である。図２２に示すように、本実施の形態では、実施の形態１と同様に、通信範囲制限装置１００１とスマートフォン１００２とを備えた通信システムにおいて、無線ＬＡＮ通信エリア１００５内に、通信範囲制限装置１００１、スマートフォン１００２、プロジェクタ装置１００４、およびプロジェクタ装置１００４’を有するアドホックネットワークがある。さらに、通信範囲制限装置２００１と、スマートフォン２００２とを備えた通信システムにおいて、無線ＬＡＮ通信エリア２００５内に、通信範囲制限装置２００１、スマートフォン２００２、プロジェクタ装置２００４、およびプロジェクタ装置２００４’を有するアドホックネットワークがもう一つある。すなわち、ＢＬＥ通信エリアを含む無線ＬＡＮ通信エリアにより構築された通信環境（アドホックネットワーク）が複数ある。
【０１１３】
ここで、本実施の形態では、実施の形態１における構成等と同符号の構成等は、実施の形態１と機能および構成が同様であるため説明を省略する。また、無線ＬＡＮＡＰ部２０１６と無線ＬＡＮＡＰ部１０１６が同様であり、ＢＬＥ通信部２０１７とＢＬＥ通信部１０１７が同様である。同じように、無線ＬＡＮ通信部２０３１と１０３１、ＢＬＥ通信部２０３２と１０３２、無線ＬＡＮ通信部２０６７と１０６７、ＢＬＥ通信部２０６８と１０６８、無線ＬＡＮ通信部２０６７’と１０６７’、ＢＬＥ通信部２０６８’と１０６８’は、同様である。
【０１１４】
そして、プリンタ装置９４は、少なくとも一つのアドホックネットワーク（通信環境）におけるＢＬＥ通信の通信範囲外に存在している。本実施の形態では、プリンタ装置９４は、無線ＬＡＮ通信エリア１００５および２００５外にあって、通信範囲制限装置１００１と通信範囲制限装置２００１とに有線ネットワーク９３により接続されて通信可能となっている。
【０１１５】
そして、複数（本実施の形態では２つ）のアドホックネットワーク（通信環境）において、少なくも一つの通信範囲制限装置がスマートフォンとプリンタ装置９４との通信制御を行っている。本実施の形態では、通信範囲制限装置１００１は、スマートフォン１００２とプリンタ装置９４との通信制御を行い、通信範囲制限装置２００１は、スマートフォン２００２とプリンタ装置９４との通信制御を行っている。
【０１１６】
つまり、図２２で示す二つの通信範囲制限装置１００１、２００１は、それぞれ独立に無線ＬＡＮ通信およびＢＬＥ通信によるネットワークを有している。これらのネットワークはそれぞれ異なるデータリンクであり、ＩＰｖ４ネットワークとすると、各データリンクで異なるネットワーク部のアドレスを有し、ＩＰｖ６ネットワークとすると、各データリンクで異なるプレフィクスを有するものとなる。
【０１１７】
この通信範囲制限装置１００１、２００１はどちらもルータ機能を持っており、一つのサブネット・プレフィクスを持つ有線ネットワーク９３に接続されている。この有線ネットワーク９３は、無線ＬＡＮ通信エリア１００５、２００５により構築される２つのアドホックネットワークの両方からパケットが到達可能になっており、両方のアドホックネットワークから利用可能な周辺機器、ここではプリンタ装置９４が設置されている。
【０１１８】
このように、実施の形態２にかかる通信範囲制限装置１００１、２００１は、ＢＬＥ通信などの近距離通信によって、スマートフォン１００２、２００２に無線ＬＡＮ通信による接続に要する設定情報を送信し、当該設定情報を用いてスマートフォン１００２、２００２との間で無線ＬＡＮ通信による接続処理を行うことで、アドホックネットワークを構築する。また、通信範囲制限装置１００１、２００１は、有線ネットワーク９３によりＢＬＥ通信エリア１００６外にあるプリンタ装置９４と接続されている。このため、スマートフォン１００２、２００２は、無線ＬＡＮ通信により接続された通信範囲制限装置１００１、２００１に印刷要求を送信すると、アクセスポイント機能を有する通信範囲制限装置１００１、２００１を介して、ＢＬＥ通信などの近距離通信の通信範囲外にあるプリンタ装置９４を利用して印刷を行うことができる。すなわち、無線ＬＡＮ通信を利用したアドホックネットワークが複数ある場合でも、接続に要する設定情報を送信する際に利用するＢＬＥ通信のＢＬＥ通信エリア１００６、２００６外に設置されたプリンタ装置９４を利用できる。
【０１１９】
（実施の形態３）
実施の形態１にかかる通信範囲制限装置は、単一のアドホックネットワークにおいて、無線ＬＡＮ通信により接続されたスマートフォンと、ＢＬＥ通信エリア外の周辺機器であるプリンタ装置とを通信可能にするものであった。そして、実施の形態２にかかる通信範囲制限装置は、実施の形態１のようなアドホックネットワークが複数存在するものであった。これに対し、本実施の形態では、実施の形態１、２のようなアドホックネットワークにおいて、携帯可能な記憶媒体（例えば、内部に電子的な情報を持つＢＬＥ通信タグ）を利用して、ＢＬＥ通信の通信範囲外にあるプリンタ装置の情報を登録するものである。以下では、実施の形態２の複数のアドホックネットワークにおいて、ＢＬＥ通信タグを利用する場合について説明するが、単一のアドホックネットワークにおいても適用可能である。
【０１２０】
図２３は、実施の形態３にかかる通信システムの全体構成図である。図２３に示すように、本実施の形態では、実施の形態２と同様に、２つのアドホックネットワーク（ＢＬＥ通信の通信範囲を含む無線ＬＡＮ通信の通信範囲により構築された通信環境）が存在している。そして、ＢＬＥ通信タグ６００がＢＬＥ通信エリア１００６内に入ると、ＢＬＥ通信タグ６００に記憶されたプリンタ装置の情報が通信範囲制限装置１００１ａによって読み取られ周辺機器リストに記憶される。
【０１２１】
図２４は、ＢＬＥ通信タグの外観の一例を示す図である。図２５は、ＢＬＥ通信タグの構成を示す図である。図２４に示すように、ＢＬＥ通信タグ６００は、持ち運び可能な形状であって、ＢＬＥ通信が可能となっている。
【０１２２】
図２５に示すように、ＢＬＥ通信タグ６００は、ＢＬＥ通信部６０２と、周辺機器情報通知部６０４とを有している。
【０１２３】
ＢＬＥ通信部６０２は、ＢＬＥ通信エリア１００６の内部にＢＬＥ通信タグ６００が入った場合、ＢＬＥ通信部１０２と通信を行うものである。
【０１２４】
周辺機器情報通知部６０４は、内部に記憶されているプリンタ装置９４の種別や識別情報であるＩＰアドレスなどの周辺機器情報を、ＢＬＥ通信部６０２を介して通信範囲制限装置１００１ａに通知するものである。
【０１２５】
図２６は、実施の形態３にかかる通信範囲制限装置の機能構成を示す図である。図２６に示すように、通信範囲制限装置１００１ａは、記憶部１２０、１３０と、無線ＬＡＮＡＰ部１０１６と、ＢＬＥ通信部１０１７と、周辺機器通信部１０１８と、検知部１０４ａと、通信制御部１０５と、接続処理部１０６と、リスト管理部１０７ａと、読取部１０８ａとを主に備えている。ここで、通信範囲制限装置１００１ａにおける記憶部１２０、１３０、無線ＬＡＮＡＰ部１０１６、ＢＬＥ通信部１０１７、周辺機器通信部１０１８、通信制御部１０５、および接続処理部１０６の機能および構成は、実施の形態１と同様であるため説明を省略する。
【０１２６】
検知部１０４ａは、スマートフォン１００２などの他の通信装置や、ＢＬＥ通信タグ６００がＢＬＥ通信エリア１００６内に入ったことを検知するものである。検知方法は、実施の形態１と同様である。
【０１２７】
読取部１０８ａは、検知部１０４ａによりＢＬＥ通信タグ６００がＢＬＥ通信エリア１００６内に入ったことが検知された場合、ＢＬＥ通信タグ６００が通知しているプリンタ装置９４の種別やＩＰアドレスなどの周辺機器情報を読み取るものである。
【０１２８】
リスト管理部１０７ａは、実施の形態１の機能に加え、読取部１０８ａにより読み取られた周辺機器情報（プリンタ装置の種別やＩＰアドレス）を、記憶部１３０に記憶されている周辺機器リストに記憶する。
【０１２９】
次に、ＢＬＥ通信タグ６００がＢＬＥ通信エリア１００６内に入った場合、プリンタ装置９４の情報を周辺機器リストに登録する処理について説明する。図２７は、実施の形態３にかかる通信範囲制限装置におけるプリンタ装置の登録処理の流れを示すフローチャートである。
【０１３０】
まず、検知部１０４ａは、ＢＬＥ通信タグ６００がＢＬＥ通信エリア１００６内に入ったことを検知すると（ステップＳ１６０）、読取部１０８ａは、ＢＬＥ通信タグ６００からプリンタ装置９４の種別やＩＰアドレスなどの周辺機器情報を読み取る（ステップＳ１６２）。
【０１３１】
リスト管理部１０７ａは、読取部１０８ａにより読み取られたプリンタ装置の種別やＩＰアドレスを周辺機器リストに記憶する（ステップＳ１６４）。そして、通信制御部１０５は、更新された周辺機器リストを、スマートフォン１００２に送信する（ステップＳ１６６）。スマートフォン１００２は、更新された周辺機器リストを受信すると、制御部２０６は、受信した周辺機器リストにより記憶部２２０に記憶されている周辺機器リストを更新する。
【０１３２】
このように、本実施の形態にかかる通信範囲制限装置１００１ａは、ＢＬＥ通信などの近距離通信によって、スマートフォン１００２から無線ＬＡＮ通信による接続に要する設定情報を送信し、当該設定情報を用いてスマートフォン１００２との間で無線ＬＡＮ通信による接続処理を行うことで、アドホックネットワークを構築する。また、通信範囲制限装置１００１ａは、有線ネットワーク９３によりＢＬＥ通信エリア１００６外にあるプリンタ装置９４と接続されている。このため、スマートフォン１００２は、無線ＬＡＮ通信により接続された通信範囲制限装置１００１ａに印刷要求を送信すると、アクセスポイント機能を有する通信範囲制限装置１００１ａを介して、ＢＬＥ通信などの近距離通信の通信範囲外にあるプリンタ装置９４を利用して印刷を行うことができる。すなわち、無線ＬＡＮ通信を利用したアドホックネットワークにおいて、接続に要する設定情報を取得する際に利用するＢＬＥ通信のＢＬＥ通信エリア１００６外に設置されたプリンタ装置９４を利用できる。
【０１３３】
また、周辺機器情報を記憶させたＢＬＥ通信タグ６００を所持してＢＬＥ通信エリア１００６、２００６に入るだけで、利用可能な周辺機器の種別やＩＰアドレスを周辺機器リストに登録することができ、当該周辺機器が利用可能となる。例えば、ＢＬＥ通信エリア１００６、２００６をひとつの会議室とした場合、会議室で共用するプリンタ装置などの周辺機器を登録したＢＬＥ通信タグ６００を用意して、そのＢＬＥ通信タグ６００を受付で受け取り、会議室に持ち込めば共用するプリンタ装置などの周辺機器が利用可能となる。
【符号の説明】
【０１３４】
１、１００１、１００１ａ、２００１  通信範囲制限装置
２、１００２、２００２  スマートフォン
３、９２、９４  プリンタ装置
４、１００４、１００４’、２００４、２００４’  プロジェクタ装置
５、１００５、２００５  無線ＬＡＮ通信エリア
６、１００６、２００６  ＢＬＥ通信エリア
１５  入出力Ｉ／Ｆ
１６、１０１６、２０１６  無線ＬＡＮＡＰ部
１７、１０１７、２０１７  ＢＬＥ通信部
３１、１０３１、２０３１  無線ＬＡＮ通信部
３２、１０３２、２０３２  ＢＬＥ通信部
４７  無線ＬＡＮ通信部
４８  ＢＬＥ通信部
６７  無線ＬＡＮ通信部
６８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
９１、９３  有線ネットワーク
１０４、１０４ａ  検知部
１０５  通信制御部
１０６  接続処理部
１０７、１０７ａ  リスト管理部
１０８ａ  読取部
１２０、１３０、２２０  記憶部
２０３  表示制御部
２０４  入力受付部
２０５  通信制御部
２０６  制御部
６００  ＢＬＥ通信タグ
６０２  ＢＬＥ通信部
６０４  周辺機器情報通知部
【先行技術文献】
【特許文献】
【０１３５】
【特許文献１】特許第５５２４５８３号公報
【図１】
2016167793.tif 000003
【図２】
2016167793.tif 000004
【図３】
2016167793.tif 000005
【図４】
2016167793.tif 000006
【図５】
2016167793.tif 000007
【図６】
2016167793.tif 000008
【図７】
2016167793.tif 000009
【図８】
2016167793.tif 000010
【図９】
2016167793.tif 000011
【図１０】
2016167793.tif 000012
【図１１】
2016167793.tif 000013
【図１２】
2016167793.tif 000014
【図１３】
2016167793.tif 000015
【図１４】
2016167793.tif 000016
【図１５】
2016167793.tif 000017
【図１６】
2016167793.tif 000018
【図１７】
2016167793.tif 000019
【図１８】
2016167793.tif 000020
【図１９】
2016167793.tif 000021
【図２０】
2016167793.tif 000022
【図２１】
2016167793.tif 000023
【図２２】
2016167793.tif 000024
【図２３】
2016167793.tif 000025
【図２４】
2016167793.tif 000026
【図２５】
2016167793.tif 000027
【図２６】
2016167793.tif 000028
【図２７】
2016167793.tif 000029